(57)【要約】【課題】ファクシミリ装置がＦＡＸデータの転送結果を受信するための接続料金を低減し得る技術の提供を目的とする。【解決手段】多機能機１は、ＰＳＴＮ３を介してＦＡＸ装置７からＦＡＸデータ１０２を受信し、ＬＡＮ５を介して多機能機９にＦＡＸデータを送信する。多機能機１は、ＦＡＸ装置７の電話料金が次に切り上がる時刻をセットし、セットした時刻までにＦＡＸデータの送信をできない場合にＦＡＸ装置７との接続を切断する。また、多機能機１は、セットした時刻までに印刷結果１０４をＦＡＸ装置７に送信できない場合にＦＡＸ装置７との接続を切断する。ＦＡＸ装置７との接続を切断後、印刷結果１０４を受信すると、ＦＡＸ装置７と再接続された後、印刷結果１０４をＦＡＸ装置７に送信する。【選択図】図２
2012204905.tif 000002
【特許請求の範囲】
【請求項１】
ＦＡＸ機能を有する通信装置であって、
接続時間に応じて接続料金が増加する特定の回線を介して接続されるＦＡＸ装置からＦＡＸデータを受信する第１の受信手段と、
ネットワークを介して接続される他の通信装置へ前記ＦＡＸデータを送信する第１の送信手段と、
前記ＦＡＸ装置が前記ＦＡＸデータを前記通信装置に送信後、前記接続料金に関する特定のタイミングまでに、前記ＦＡＸデータの前記他の通信装置への転送結果に関する第１の情報を前記ＦＡＸ装置に送信可能な場合に、前記ＦＡＸ装置との接続を切断せず、前記特定のタイミングまでに、前記第１の情報を前記ＦＡＸ装置に送信可能でない場合に、前記ＦＡＸ装置との接続を切断する、接続切断手段と、
前記第１の情報を前記ＦＡＸ装置へ送信する第２の送信手段であって、前記ＦＡＸ装置との接続が切断されている場合に、前記ＦＡＸ装置との接続完了後、前記第１の情報を前記ＦＡＸ装置へ送信し、前記ＦＡＸ装置との接続が切断されていない場合に、該接続を利用して、前記第１の情報を前記ＦＡＸ装置へ送信する、前記第２の送信手段と、
と、を備えることを特徴とする通信装置。
【請求項２】
前記特定のタイミングは、前記接続料金が切りあがるタイミングである、
ことを特徴とする請求項１に記載の通信装置。
【請求項３】
前記ＦＡＸ装置との接続を実行する接続手段、をさらに備え、
前記第２の送信手段は、
前記接続切断手段により前記ＦＡＸ装置との接続が切断された場合に、前記接続手段による接続完了後、前記第１の情報を前記ＦＡＸ装置へ送信する、
ことを特徴とする請求項１または請求項２に記載の通信装置。
【請求項４】
前記第１の情報は、前記他の通信装置による前記ＦＡＸデータの出力結果情報を含み、
前記通信装置は、
前記第１の情報を、前記他の通信装置から受信する第２の受信手段をさらに備えることを特徴とする請求項１ないし請求項３のいずれかに記載の通信装置。
【請求項５】
前記出力結果情報は、前記他の通信装置による前記ＦＡＸデータの出力成功、または、前記他の通信装置による前記ＦＡＸデータの出力失敗、を示し、
前記第２の受信手段は、前記出力結果情報が出力失敗を示す場合に、前記他の通信装置が前記ＦＡＸデータの出力を失敗した理由を示す第２の情報を、前記他の通信装置から受信し、
前記第２の送信手段は、前記第２の受信手段が前記第２の情報を受信した場合に、出力失敗を示す前記出力結果情報を含む前記第１の情報と、前記第２の情報と、を前記ＦＡＸ装置へ送信する、
ことを特徴とする請求項４に記載の通信装置。
【請求項６】
前記特定のタイミングまでに前記第１の情報を送信可能である場合に、前記ＦＡＸ装置と接続されているかを判断する判断手段をさらに備え、
前記第２の送信手段は、
前記ＦＡＸ装置と接続されていると判断された場合に、該接続を利用して、前記ＦＡＸ装置へ前記第１の情報を送信し、
前記ＦＡＸ装置と接続されていないと判断された場合に、前記接続手段による接続完了後、前記ＦＡＸ装置へ前記第１の情報を送信する、
ことを特徴とする請求項３ないし請求項５のいずれかに記載の通信装置。
【請求項７】
前記ＦＡＸ装置と接続されていないと判断された場合において、前記通信装置が前記ＦＡＸ装置と異なる他のＦＡＸ装置と接続されている場合に、
前記接続手段は、前記他のＦＡＸ装置との接続切断後、前記ＦＡＸ装置との接続を実行する、
ことを特徴とする請求項６に記載の通信装置。
【請求項８】
ＦＡＸ機能を有する通信装置を制御するためのプログラムであって、
コンピュータを、
接続時間に応じて接続料金が増加する特定の回線を介して接続されるＦＡＸ装置からＦＡＸデータを受信する第１の受信手段、
ネットワークを介して接続される他の通信装置へ前記ＦＡＸデータを送信する第１の送信手段、
前記ＦＡＸ装置が前記ＦＡＸデータを前記通信装置に送信後、前記接続料金に関する特定のタイミングまでに、前記ＦＡＸデータの前記他の通信装置への転送結果に関する第１の情報を前記ＦＡＸ装置に送信可能な場合に、前記ＦＡＸ装置との接続を切断せず、前記特定のタイミングまでに、前記第１の情報を前記ＦＡＸ装置に送信可能でない場合に、前記ＦＡＸ装置との接続を切断する、接続切断手段、
前記第１の情報を前記ＦＡＸ装置へ送信する第２の送信手段であって、前記ＦＡＸ装置との接続が切断されている場合に、前記ＦＡＸ装置との接続完了後、前記第１の情報を前記ＦＡＸ装置へ送信し、前記ＦＡＸ装置との接続が切断されていない場合に、該接続を利用して、前記第１の情報を前記ＦＡＸ装置へ送信する、前記第２の送信手段、
として機能させることを特徴とするプログラム。
【発明の詳細な説明】
【技術分野】
【０００１】
本発明は、ＦＡＸ機能を有する通信装置が、受信したＦＡＸデータを転送する技術に関する。
【背景技術】
【０００２】
ＦＡＸ機能を有する通信装置が、受信したＦＡＸデータの転送結果をＦＡＸ送信元に通知する技術が知られている。
【０００３】
例えば、特許文献１には、ファクシミリ装置（ＦＡＸ送信元）から受信した画データをインターネットファクシミリ装置に転送するファクシミリサーバ（通信装置）が、インターネットファクシミリ装置への画データの転送結果を、ファクシミリ装置に通知することが記載されている。
【先行技術文献】
【特許文献】
【０００４】
【特許文献１】特開２００３−３２４５９５号公報
【発明の概要】
【発明が解決しようとする課題】
【０００５】
しかしながら、上記の技術では、ファクシミリ装置が画データの転送結果を受信する際にファクシミリ装置にかかる接続料金について全く考慮していない。
【０００６】
そこで本発明は、ファクシミリ装置がＦＡＸデータの転送結果を受信するための接続料金を低減し得る技術の提供を目的とする。
【課題を解決するための手段】
【０００７】
かかる目的を達成するためになされた本発明の通信装置は、ＦＡＸ機能を有する通信装置であって、接続時間に応じて接続料金が増加する特定の回線を介して接続されるＦＡＸ装置からＦＡＸデータを受信する第１の受信手段と、ネットワークを介して接続される他の通信装置へ前記ＦＡＸデータを送信する第１の送信手段と、前記ＦＡＸ装置が前記ＦＡＸデータを前記通信装置に送信後、前記接続料金に関する特定のタイミングまでに、前記ＦＡＸデータの前記他の通信装置への転送結果に関する第１の情報を前記ＦＡＸ装置に送信可能な場合に、前記ＦＡＸ装置との接続を切断せず、前記特定のタイミングまでに、前記第１の情報を前記ＦＡＸ装置に送信可能でない場合に、前記ＦＡＸ装置との接続を切断する、接続切断手段と、前記第１の情報を前記ＦＡＸ装置へ送信する第２の送信手段であって、前記ＦＡＸ装置との接続が切断されている場合に、前記ＦＡＸ装置との接続完了後、前記第１の情報を前記ＦＡＸ装置へ送信し、前記ＦＡＸ装置との接続が切断されていない場合に、該接続を利用して、前記第１の情報を前記ＦＡＸ装置へ送信する、前記第２の送信手段と、を備えることを特徴とする。
【０００８】
特定のタイミングまでに第１の情報をＦＡＸ装置へ送信可能な場合には、ＦＡＸ装置との接続が切断されない。特定のタイミングまでに第１の情報をＦＡＸ装置へ送信可能でない場合には、ＦＡＸ装置との接続が切断される。これにより、第１の情報を受信するためにＦＡＸ装置にかかる接続料金を低減させ得る。
【０００９】
上記の通信装置において、前記特定のタイミングは、前記接続料金が切りあがるタイミングであるとよい。
【００１０】
接続料金が切りあがるタイミングまでに第１の情報をＦＡＸ装置へ送信可能でない場合には、ＦＡＸ装置との接続が切断される。これにより、ＦＡＸ装置が第１の情報を受信するための接続料金を低減し得る。
【００１１】
上記の通信装置において、前記ＦＡＸ装置との接続を実行する接続手段、をさらに備え、前記第２の送信手段は、前記接続切断手段により前記ＦＡＸ装置との接続が切断された場合に、前記接続手段による接続完了後、前記第１の情報を前記ＦＡＸ装置へ送信するとよい。
【００１２】
これにより、ＦＡＸ装置と通信装置との接続が切断された場合でも、通信装置がＦＡＸ装置との接続を実行するため、ＦＡＸ装置が第１の情報を受信するために接続料金が加算されることを抑制し得る。
【００１３】
上記の通信装置において、前記第１の情報は、前記他の通信装置による前記ＦＡＸデータの出力結果情報を含み、前記通信装置は、前記第１の情報を、前記他の通信装置から受信する第２の受信手段をさらに備えるとよい。
【００１４】
これにより、通信装置が他の通信装置から第１の情報を受信する場合でも、ＦＡＸ装置が第１の情報を受信するための接続料金を低減し得る。例えば、他の通信装置から第１の情報を受信するために時間を要した場合でも、ＦＡＸ装置が第１の情報を受信するための接続料金を低減しうる。
【００１５】
上記の通信装置において、前記出力結果情報は、前記他の通信装置による前記ＦＡＸデータの出力成功、または、前記他の通信装置による前記ＦＡＸデータの出力失敗、を示し、前記第２の受信手段は、前記出力結果情報が出力失敗を示す場合に、前記他の通信装置が前記ＦＡＸデータの出力を失敗した理由を示す第２の情報を、前記他の通信装置から受信し、前記第２の送信手段は、前記第２の受信手段が前記第２の情報を受信した場合に、出力失敗を示す前記出力結果情報を含む前記第１の情報と、前記第２の情報と、を前記ＦＡＸ装置へ送信する、とよい。
【００１６】
これにより、ＦＡＸ装置は、他の通信装置がＦＡＸデータの出力に失敗した理由を知ることができる。
【００１７】
上記の通信装置において、前記特定のタイミングまでに前記第１の情報を送信可能である場合に、前記ＦＡＸ装置と接続されているかを判断する判断手段をさらに備え、前記第２の送信手段は、前記ＦＡＸ装置と接続されていると判断された場合に、該接続を利用して、前記ＦＡＸ装置へ前記第１の情報を送信し、前記ＦＡＸ装置と接続されていないと判断された場合に、前記接続手段による接続完了後、前記ＦＡＸ装置へ前記第１の情報を送信する、とよい。
【００１８】
特定のタイミングまでにＦＡＸ装置へ第１の情報を送信可能であっても、ＦＡＸ装置がタイムアウトしている恐れがある。上記の構成によれば、第１の情報をファクシミリ装置に送信できないといった事態が生じることを抑制することができる。
【００１９】
上記の通信装置において、前記ＦＡＸ装置と接続されていないと判断された場合において、前記通信装置が前記ＦＡＸ装置と異なる他のＦＡＸ装置と接続されている場合に、前記接続手段は、前記他のＦＡＸ装置との接続切断後、前記ＦＡＸ装置との接続を実行する、とよい。
【００２０】
ＦＡＸ装置と接続されていない場合に、他のＦＡＸ装置と接続されている場合がある。上記の構成によれば、他のＦＡＸ装置との接続切断後、ＦＡＸ装置と接続され得る。
【００２１】
なお、この発明は、デバイスおよびデバイスの制御方法、これらの方法またはデバイスの機能を実現するためのプログラム、そのプログラムを記録した記録媒体等の種々の態様で実現することができる。
【図面の簡単な説明】
【００２２】
【図１】実施形態のＦＡＸ通信システムの構成を示す。
【図２】実施形態の各装置が実行する処理のシーケンス図を示す。
【図３】印刷結果対応表５１を示す。
【図４】通話時間表５３を示す。
【図５】図２の続きのシーケンス図を示す。
【図６】図２の続きのシーケンス図を示す。
【図７】図２の印刷結果送信処理を示す。
【発明を実施するための形態】
【００２３】
以下、実施形態を図面に基づき説明する。
【００２４】
（多機能機１の構成）
図１は、実施形態のＦＡＸ通信システムの構成を示す。
【００２５】
多機能機１は、ＦＡＸ機能、電話機能、印刷機能、スキャナ機能、コピー機能等の多機能を実行可能である。多機能機１は、操作手段１１と、表示手段１３と、印刷手段１５と、スキャン手段１７と、時計１８と、記憶手段１９と、マイク２７と、スピーカー２９と、ＰＳＴＮインターフェイス３１と、ネットワークインターフェイス３３と、制御手段３５と、を備える。操作手段１１は、複数のキーを備える。ユーザは、操作手段１１を操作することによって、様々な指示を多機能機１に入力することができる。表示手段１３は、様々な情報を表示するためのディスプレイである。印刷手段１５は、インクジェット方式、レーザ方式等の印刷機構である。スキャン手段１７は、ＣＣＤ、ＣＩＳ等のスキャン機構である。時計１８は、現在の時刻を示す。
【００２６】
記憶手段１９は、接続中ＦＡＸ記憶領域２１と、印刷結果対応表記憶領域２３と、通話時間表記憶領域２５と、接続時刻記憶領域２６と、を備える。多機能機１は、ＦＡＸ接続中である場合、現在接続されている相手先ＦＡＸ装置の電話番号を接続中ＦＡＸ記憶領域２１に記憶する。多機能機１は、印刷結果対応表５１（後述）を印刷結果対応表記憶領域２３に記憶する。多機能機１は、通話時間表５３（後述）を通話時間表記憶領域２５に記憶する。多機能機１は、ＦＡＸ接続中である場合、相手先ＦＡＸ装置と接続された時刻を時刻記憶領域２６に記憶するが詳細は後述する。
【００２７】
多機能機１のユーザは、マイク２７およびスピーカー２９を用いて、ＰＳＴＮ３に接続されている別の電話機（図示略）と電話をすることができる。ＰＳＴＮインターフェイス３１は、一般公衆回線網であるＰＳＴＮ（Public Switched Telephone Network）３に接続されている。多機能機１は、ＰＳＴＮインターフェイス３１を介して、ＦＡＸ機能を備えるＦＡＸ装置７と接続可能である。多機能機１は、ＦＡＸ装置７からＦＡＸデータを受信する。
【００２８】
ネットワークインターフェイス３３は、ＬＡＮ（Local Area Network）５に接続されている。多機能機１は、ネットワークインターフェイス３３を介して、多機能機９と接続されている。多機能機１は、ＦＡＸ装置７から受信したＦＡＸデータを、多機能機９に送信する。制御手段３５は、ＣＰＵを備える。制御手段３５は、記憶手段１９に記憶される図示しないプログラムにしたがって、本実施形態におけるＦＡＸデータ転送処理を含む様々な処理を実行する。
【００２９】
（多機能機９の構成）
多機能機９は、印刷機能、スキャナ機能、コピー機能等を備え、電話機能、ＦＡＸ機能を備えない多機能機である。多機能機９は、ＦＡＸ装置７から送信されるＦＡＸデータを、多機能機１を介して受信する。
【００３０】
多機能機９は、操作手段３７と、表示手段３９と、印刷手段４１と、スキャン手段４３と、記憶手段４５と、制御手段４７と、ネットワークインターフェイス４９と、を備える。操作手段３７と、表示手段３９と、印刷手段４１と、スキャン手段４３と、ネットワークインターフェイス４９とは、それぞれ多機能機１の操作手段１１と、表示手段１３と、印刷手段１５と、スキャン手段１７と、ネットワークインターフェイス３３と、同様であるため詳細を省略する。制御手段４７は、記憶手段４５に記憶される図示しないプログラムにしたがって様々な処理を実行する。
【００３１】
（多機能機１、多機能機９、ＦＡＸ装置７が実行する処理）
続いて、図２から図７を参照して多機能機１、多機能機９、ＦＡＸ装置７が実行する処理の内容について説明する。
【００３２】
多機能機１は、ＰＳＴＮ３を介してＦＡＸ装置７から接続要求１００を受信する（Ｓ２）。多機能機１が接続要求１００を受信すると、多機能機１とＦＡＸ装置７とが接続される（Ｓ３）。多機能機１は、ＦＡＸ装置７と接続されると、接続時刻記憶領域２６に接続時刻を記憶する（Ｓ４）。具体的には、多機能機１は、時計１８が示す現在の時刻を接続時刻記憶領域２６に記憶する（Ｓ４）。多機能機１は、接続時刻を記憶すると、ＦＡＸ装置７からＦＡＸデータ１０２を受信する（Ｓ６）。
【００３３】
多機能機１は、ＦＡＸデータ１０２の受信を完了すると、受信したＦＡＸデータ１０２に、ＦＡＸＩＤを付与する（Ｓ８）。なお、多機能機１は、Ｓ８において、付与したＦＡＸＩＤと、ＦＡＸデータ１０２の送信元であるＦＡＸ装置７の電話番号と、図３に示す印刷結果対応表５１に格納する。ＦＡＸ装置７の電話番号は、接続要求１００に含まれている。ここで、印刷結果対応表５１とは、ＦＡＸＩＤと、該ＦＡＸＩＤが付与されたＦＡＸデータの送信元を示す送信元情報と、該ＦＡＸＩＤが付与されたＦＡＸデータの多機能機９による印刷結果と、を対応付けるためのテーブルである。なお、印刷結果対応表５１の印刷結果の欄には、印刷が成功したこと、または、印刷が失敗したこと、が記憶され、印刷が失敗した場合には、その失敗原因も記憶される。
【００３４】
続いて、多機能機１は、次に料金が切り上がる時刻をセットする（Ｓ１０）。具体的には、Ｓ４で記憶した接続時刻と、図４に示す通話時間表５３と、を用いて次のような処理を行う。多機能機１は、まず、通話時間表５３を用いて、ＦＡＸ装置７の電話番号に対応する単位料金あたりの通話時間を取得する。通話時間表５３は、電話番号の市外局番・市内局番に基づいて、電話番号と単位料金あたりの通話時間（以下、単位通話時間とよぶ）とを対応付けたテーブルである。多機能機１は、ＦＡＸ装置７の電話番号に対応する単位通話時間を取得すると、Ｓ４で記憶した接続時刻から単位通話時間だけ経過した時刻を算出し（第１の算出時刻とする）、時計１８が示す現在時刻と比較する。現在時刻が第１の算出時刻を過ぎている場合には、第１の算出時刻からさらに単位通話時間だけ経過した時刻を算出し（第２の算出時刻とする）、時計１８が示す現在時刻と比較する。現在時刻が第２の算出時刻を過ぎていない場合、多機能機１は、第２の算出時刻を、次に料金が切り上がる時刻としてセットする。現在時刻が第２の算出時刻を過ぎている場合、第２の算出時刻からさらに単位通話時間だけ経過した時刻を算出し（第３の算出時刻とする）、時計１８が示す現在時刻と比較し、現在時刻が第ｎの算出時刻を過ぎないと判断されるまで、上記処理を繰り返し、該第ｎの算出時刻を次に料金が切り上がる時刻としてセットする。なお、第ｎの算出時刻は、Ｓ４で記憶した時刻と、時計１８が示す現在時刻との差を、単位通話時間で割り算することによって算出されてもよい。多機能機１は、次に料金が切り上がる時刻をセットすると、接続時刻記憶領域２６に記憶した接続時刻をリセットする。
【００３５】
続いて、多機能機１は、セットした時刻までにＦＡＸ転送できるか判断する（Ｓ１２）。具体的には、多機能機１は、受信したＦＡＸデータ１０２のデータサイズと、ＬＡＮ５の最大接続速度（１００Ｍｂｐｓなど）とから、ＦＡＸ転送に要する時間を算出する。そして、時計１８が示す現在時刻から算出した時間だけ経過した時刻が、セットした時刻を経過するか否かを判断し、セットした時刻を経過する場合には、Ｓ１２ではＮｏと判断し、セットした時刻を経過しない場合には、Ｓ１２ではＹｅｓと判断する。なお、Ｓ１２において、時計１８が示す現在時刻からＦＡＸ転送に要する時間として算出した時間だけ経過した時刻が、セットした時刻より所定時間（例えば１分）遡った時刻を経過するか否かを判断し、セットした時刻より所定時間遡った時刻を経過する場合には、Ｓ１２ではＮｏと判断し、セットした時刻より所定時間遡った時刻を経過しない場合には、Ｓ１２ではＹｅｓと判断してもよい。これにより、ＬＡＮ５の実際の接続速度が、ネットワークの混雑度により最大接続速度より遅くなっている場合でも、セットした時刻までにＦＡＸ転送できるかをより確実に判断できる。
【００３６】
（セットした時刻までにＦＡＸ転送できる場合（Ｓ１２：Ｙｅｓ））
多機能機１は、セットした時刻までにＦＡＸ転送できると判断した場合（Ｓ１２：Ｙｅｓ）、ＦＡＸデータ１０２をＳ８で付与されたＦＡＸＩＤとともに、多機能機９に転送する（Ｓ１４）。多機能機９は、ＦＡＸデータ１０２とＦＡＸＩＤとを受信すると、ＦＡＸデータ１０２の印刷を実行し（Ｓ１６）、ＦＡＸデータ１０２の印刷結果１０４を、受信したＦＡＸＩＤとともに多機能機１に送信する。なお、多機能機９は、印刷に成功すれば成功を示す印刷結果を多機能機１に送信し、印刷に失敗すれば、失敗原因とともに、失敗を示す印刷結果を多機能機１に送信する。
【００３７】
多機能機１は、ＦＡＸデータ１０２とＦＡＸＩＤとを多機能機９に転送すると、セットした時刻まで余裕があるかを判断する（Ｓ１８）。具体的には、多機能機１は、時計１８が示す現在時刻から１分だけ経過した時刻を算出し（以下、１分経過時刻と呼ぶ）、１分経過時刻と、Ｓ１０でセットした時刻と、を比較する。１分経過時刻がセットした時刻を過ぎる場合には、現在時刻からセットした時刻まで１分の猶予もないため、Ｓ１８ではＮｏと判断される。１分経過時刻がセットした時刻を過ぎない場合には、現在時刻からセットした時刻まで少なくとも１分間の余裕があるため、Ｓ１８ではＹｅｓと判断される。
【００３８】
多機能機１は、セットした時刻まで余裕があると判断すると、印刷結果の受信を待つ（Ｓ２０）。具体的には、多機能機１は、５秒間、印刷結果の受信を待つ（Ｓ２０）。続いて、多機能機１は、印刷結果を受信したかを判断し（Ｓ２２）、印刷結果を受信していないと判断された場合（Ｓ２２：Ｎｏ）、Ｓ１８に戻り、上述のＳ１８の判断を行う。そして、セットした時刻まで余裕があると判断されると（Ｓ１８：Ｙｅｓ）、再度Ｓ２２まで処理を進め、印刷結果を受信したと判断されるとＳ２４に移行する。なお、多機能機１は、印刷結果１０４を受信すると、印刷結果対応表５１の印刷結果の欄のうち、印刷結果１０４とともに受信したＦＡＸＩＤに対応する欄内に、印刷結果１０４を記憶する。
【００３９】
続いて、多機能機１は、印刷結果送信処理を行う（Ｓ２４）。印刷結果送信処理とは、受信した印刷結果を、対応するＦＡＸ送信元に送信する処理であるが、詳細は後述する。なお、多機能機１は、印刷結果送信処理を行うと、印刷結果対応表５１のうち、送信した印刷結果に対応する行を削除する。多機能機１は、印刷結果１０４をＦＡＸ装置７に送信すると、接続終了通知１０６を送信し（Ｓ２５）、ＦＡＸ装置７との接続を切断する（Ｓ２６）。
【００４０】
（セットした時刻までにＦＡＸ転送できない場合（Ｓ１２：Ｎｏ））
続いて、図２のＳ１２において、セットした時刻までにＦＡＸ転送できないと判断された場合について、図５を参照して説明する。
【００４１】
多機能機１は、Ｓ１２においてＮｏと判断されると、接続終了通知１０８をＦＡＸ装置７に送信し（Ｓ２８）、ＦＡＸ装置７との接続を切断する（Ｓ３０）。続いて、多機能機１は、ＦＡＸデータ１０２をＳ８で付与されたＦＡＸＩＤとともに、多機能機９に転送する（Ｓ３２）。このように、セットした時刻までにＦＡＸ転送できない場合には、多機能機１は、ＦＡＸ装置７との接続を切断した上でＦＡＸ転送を行う（Ｓ３０、Ｓ３２）。これは、多機能機１がＦＡＸ転送を完了するタイミングまでＦＡＸ装置７との接続を維持すると、ＦＡＸ装置７にかかる電話料金が切り上がってしまうためである。多機能機９は、ＦＡＸデータ１０２とＦＡＸＩＤとを受信すると、ＦＡＸデータ１０２の印刷を実行し（Ｓ１６）、ＦＡＸデータ１０２の印刷結果１０４を、受信したＦＡＸＩＤとともに多機能機１に送信する。なお、多機能機１は、印刷結果１０４を受信すると、印刷結果対応表５１の印刷結果の欄のうち、印刷結果１０４とともに受信したＦＡＸＩＤに対応する欄内に、印刷結果１０４を記憶する。
【００４２】
多機能機１は、ＦＡＸデータ１０２とＦＡＸＩＤとを多機能機９に転送すると、印刷結果の受信を待つ（Ｓ３４）。具体的には、多機能機１は、５秒間、印刷結果の受信を待つ（Ｓ３４）。続いて、多機能機１は、印刷結果を受信したかを判断し（Ｓ３６）、印刷結果を受信していないと判断された場合（Ｓ３６：Ｎｏ）、Ｓ３４に戻り、印刷結果を受信したと判断されるまでＳ３４およびＳ３６を繰り返す。そして、印刷結果を受信したと判断されると（Ｓ３６：Ｙｅｓ）、Ｓ３８に移行する。
【００４３】
多機能機１は、Ｓ３８に移行すると、受信した印刷結果を対応するＦＡＸ装置へ送信するための接続処理を行う（Ｓ３８）。具体的には、多機能機１は、印刷結果とともに受信したＦＡＸＩＤに対応する送信元情報を印刷結果対応表５１から抽出し、抽出した電話番号に対し接続要求１１０を送信する（Ｓ３８）。本実施形態では、多機能機１は、接続要求１０４とともに受信したＦＡＸＩＤに対応する送信元情報は、ＦＡＸ装置７の電話番号であるため、多機能機１は、ＦＡＸ装置７に接続要求１１０を送信する。多機能機１が接続要求１１０をＦＡＸ装置７に送信すると、多機能機１とＦＡＸ装置７とが再接続される（Ｓ４０）。そして、多機能機１は、印刷結果１０４をＦＡＸ装置７に送信し（Ｓ４２）、続いて、接続終了通知１１２をＦＡＸ装置７に送信し（Ｓ４３）、ＦＡＸ装置７との接続を切断する（Ｓ４４）。
【００４４】
このように、多機能機１は、Ｓ３０によりＦＡＸ装置７との接続を切断後、印刷結果を受信すると、自身からの接続要求による再接続を用いて、ＦＡＸ装置７へ印刷結果を送信する。これにより、ＦＡＸ装置７は改めて多機能機１に発呼する必要がないため、印刷結果を受信するために電話料金がかかることがない。
【００４５】
（セットした時刻まで余裕がない場合（Ｓ１８：Ｎｏ））
続いて、図２のＳ１８において、セットした時刻まで余裕がないと判断された場合について、図６を参照して説明する。図６における処理は、図５の処理と同様である。まず、一致点を説明する。図６のＳ１２８、接続終了通知２０８、Ｓ１３０、Ｓ１３４、Ｓ１３６、Ｓ１３８、接続要求２１０、Ｓ１４０、Ｓ１４２、Ｓ１４３、接続終了通知２１２、Ｓ１４４は、それぞれ順に図５のＳ２８、接続終了通知１０８、Ｓ３０、Ｓ３４、Ｓ３６、Ｓ３８、接続要求１１０、Ｓ４０、Ｓ４２、Ｓ４３、接続終了通知１１２、Ｓ４４に、対応する。図６における処理は、図５のＳ３２を備えない点で図５の処理と相違している。これは、図６における処理では、図２のＳ１２によりセットした時刻までにＦＡＸ転送できると判断され（Ｓ１２：Ｙｅｓ）、Ｓ１４によりＦＡＸデータの多機能機９への転送が行われたことによる相違である。
【００４６】
このように、多機能機１は、セットした時刻まで余裕がない場合には（Ｓ１８：Ｎｏ）、ＦＡＸ装置７との接続を切断した上で印刷結果の受信を待つ（Ｓ１３４）。すなわち、セットした時刻まで余裕がない場合には、多機能機１が印刷結果１０４をＦＡＸ装置７に送信する十分な時間がない。したがって、多機能機１が、印刷結果１０４の送信が完了するタイミングまでＦＡＸ装置７との接続を維持すると、ＦＡＸ装置７にかかる電話料金が切り上がってしまう。そのため、多機能機１は、ＦＡＸ装置７との接続を切断した上で印刷結果の受信を待つのである。これにより、ＦＡＸ装置７は、印刷結果を受信するために改めて多機能機１に発呼する必要がないため、印刷結果を受信するために電話料金がかかることがない。
【００４７】
（印刷結果送信処理（Ｓ２４））
続いて、図２のＳ２４の印刷結果送信処理について、図７を参照して説明する。
【００４８】
多機能機１は、印刷結果送信処理を開始すると、現在ＰＳＴＮ３に接続中かを判断する（Ｓ４６）。具体的には、多機能機１は、ＰＳＴＮインターフェイス３１から接続される回線が閉結されているかを判断する。回線が閉結されていれば、Ｓ４６でＹｅｓと判断され、回線が閉結されていなければ（すなわち回線が開いていれば）、Ｓ４６でＮｏと判断される。
【００４９】
多機能機１は、Ｓ４６で現在ＰＳＴＮ３に接続中と判断した場合（Ｓ４６：Ｙｅｓ）、相手はＦＡＸ送信元かを判断する（Ｓ４８）。具体的には、多機能機１は次のような処理を行う。多機能機１は、現在接続されているＦＡＸ装置の電話番号を接続中ＦＡＸ記憶領域２１内（図１参照）に記憶している。多機能機１は、印刷結果とともに受信したＦＡＸＩＤに対応する送信元情報を印刷結果対応表５１から抽出する。そして、接続中ＦＡＸ記憶領域２１内に記憶している電話番号と、印刷結果対応表５１から抽出した電話番号とを比較し、両者が一致する場合にはＳ４８でＹｅｓと判断し、両者が一致しない場合には、Ｓ４８でＮｏと判断する。
【００５０】
多機能機１は、相手がＦＡＸ送信元であると判断すると（Ｓ４８：Ｙｅｓ）、受信した印刷結果を現在接続中のＦＡＸ送信元へ送信する（Ｓ５４）。一方、多機能機１は、相手がＦＡＸ送信元でないと判断すると（Ｓ４８：Ｎｏ）、ＰＳＴＮ３との接続が切れるのを待つ（Ｓ５０）。そして、接続が切れると、多機能機１は、ＦＡＸ送信元へ再接続する（Ｓ５２）。具体的には、多機能機１は、印刷結果とともに受信したＦＡＸＩＤに対応する電話番号を印刷結果対応表５１から抽出し、抽出した電話番号に接続要求を送信する。多機能機１は、ＦＡＸ送信元と再接続されると、受信した印刷結果をＦＡＸ送信元へ送信する（Ｓ５４）。
【００５１】
一方、多機能機１は、Ｓ４６で現在ＰＳＴＮ３に接続中でないと判断した場合（Ｓ４６：Ｎｏ）、上記のＳ５２へ移行し、ＦＡＸ送信元へ再接続した上で、印刷結果を送信する（Ｓ５４）。
【００５２】
このように、印刷結果送信処理では、多機能機１は、ＦＡＸ送信元と接続されているかにより処理が異なる。すなわち、多機能機１は、ＦＡＸ送信元と接続されていれば、該接続を利用して印刷結果をＦＡＸ送信元に送信する。一方、ＦＡＸ送信元と接続されていなければ、自らＦＡＸ送信元へ再接続し、印刷結果をＦＡＸ送信元に送信する。これは、多機能機１は印刷結果送信処理に移行するまで、ＦＡＸ送信元に対し、接続終了通知を送信しないため（図２参照）、ＦＡＸ送信元が、接続終了通知を受信するまでにタイムアウトしてしまう場合があるためである。ＦＡＸ送信元は、多機能機１から接続終了通知を受信すればＦＡＸ送信が完了したとして自ら多機能機１との接続を切断するが、多機能機１から接続終了通知を受信しなければ、多機能機１との接続を一定時間（例えば５分）だけ維持して接続終了通知の受信を待つが、接続終了通知を受信しなければ、該一定時間を経過したタイミングで多機能機１との接続を切断するのである（すなわち、タイムアウト）。したがって、印刷結果送信処理において、多機能機１は、ＦＡＸ送信元と接続されているかを確認した上で印刷結果を送信するのである。
【００５３】
なお、通話時間表５３は、多機能機１が名古屋市に設置された場合におけるテーブルである。多機能機１は、自身の電話番号を用いて、自身が設置されているエリアを特定し、該エリアに対応する通話時間表を外部記憶装置（エリア毎の通話時間表を記憶するサーバでもよいし、通話時間表を記憶する記憶媒体でもよい）から取得する。
【００５４】
以上、実施形態について説明したが、本実施形態の多機能機１が「通信装置」に、多機能機９が「他の通信装置」に、制御手段３５によるＳ６の処理が「第１の受信手段」に、Ｓ１４、Ｓ３２の処理が「第１の送信手段」に、Ｓ２８、Ｓ１２８の処理が「接続切断手段」に、Ｓ２４、Ｓ４２、Ｓ１４２の処理が「第２の送信手段」に、Ｓ３８、Ｓ１３８、Ｓ５２の処理が「接続手段」に、Ｓ２２、Ｓ３６、Ｓ１３６の処理が「第２の受信手段」に、Ｓ４８の処理が「判断手段」に、対応する。
【００５５】
（変形例）
なお、本発明は、上記実施形態に限定されるものではなく、本発明の要旨を逸脱しない範囲内にて、種々の態様を採ることができる。
【００５６】
例えば、多機能機９は、電話機能およびＦＡＸ機能を備えない多機能機であると説明したが、電話機能およびＦＡＸ機能を備える多機能機であってもよい。
【００５７】
また、例えば、図２のＳ１２において、次に料金が切り上がる時刻をセットしたが、これに限らず、次に料金が切りかがる時刻からさらに単位通話時間だけ経過させた時刻をセットしても良い。また、図２のＳ１２において、単位通話時間にかかわらず、時計１８が示す現在時刻から所定時間（例えば２分）経過した時刻をセットしてもよい。これらの変形例の場合には、実施形態の場合に比べてＦＡＸ送信元にかかる電話料金は高くなるものの、ＦＡＸ送信元が印刷結果を受信するまで多機能機１との接続を維持する場合に比べれば、ＦＡＸ送信元にかかる電話料金は安くなる。
【００５８】
また、図２のＳ１２を省略し、ＦＡＸ転送を実行と（Ｓ１４）、セットした時刻まで余裕があるかの判断と、を並行してもよい（Ｓ１８）。具体的には次のような処理になる。ＦＡＸ転送に時間がかかり、セットした時刻まで余裕がなくなった場合には、Ｓ１８でＮｏと判断され、ＦＡＸ装置７との接続が切断される（図６）。一方、ＦＡＸ転送がセットした時刻までに終了し、かつ、セットした時刻まで余裕がある場合には、Ｓ１８でＹｅｓと判断され、Ｓ２０へ移行する。
【００５９】
また、多機能機１が、多機能機９による印刷結果をＦＡＸ装置７に送信する場合を例に説明したが、これに限らず、多機能機１は、印刷結果の代わりに、ＦＡＸデータ１０２の送信が成功したか否かを示す情報をＦＡＸ装置７に送信してもよい。この場合、多機能機１は、多機能機９の印刷処理を待つ必要がなくなるため、ＦＡＸデータの転送結果をより早くＦＡＸ装置７へ送信できる。なお、この場合には、多機能機９は、印刷機能を備えないＰＣであってもよい。
【００６０】
また、多機能機１は、ＰＳＴＮ３により接続されるＦＡＸ装置７からＦＡＸデータ１０２を受信する場合を例に説明したが、ＰＳＴＮ３に限らず、接続時間の増加に応じて料金が加算される接続回線であればよい。例えば、次世代電話網（Next Generation Network）によるＦＡＸ通信でも利用可能である。
【符号の説明】
【００６１】
１…多機能機、３…ＰＳＴＮ、５…ＬＡＮ、７…ＦＡＸ装置、９…多機能機
【図１】
2012204905.tif 000003
【図２】
2012204905.tif 000004
【図３】
2012204905.tif 000005
【図４】
2012204905.tif 000006
【図５】
2012204905.tif 000007
【図６】
2012204905.tif 000008
【図７】
2012204905.tif 000009